(57)【要約】【課題】クランクケースから外部へのブローバイガスの漏れを抑制しつつ、クランクケースから吸気通路に持ち去られたオイルに起因するターボチャージャのコンプレッサでのデポジット堆積をより効果的に抑制する。【解決手段】ブローバイガス処理装置によりクランクケース１０から吸気通路３に戻されるブローバイガスのガス流量に関しては、クランクケース１０内の圧力が大気圧となるように制御される。クランクケース１０内の圧力を大気圧とすることにより、同ケース１０内から外部（大気）へのブローバイガスの漏れは抑制される。また、上述したようにガス流量を制御することで、そのガス流量が可能な限り少なくされる。その結果、クランクケース１０から吸気通路３へのオイルの持ち去りが可能な限り少なくされ、そのオイルに起因するターボチャージャ１１のコンプレッサ１１ａでのデポジットの堆積も可能な限り少なくされる。【選択図】図１
2010096029.tif 000002
【特許請求の範囲】
【請求項１】
ターボチャージャを備えた内燃機関に適用され、燃焼室からクランクケースに漏れたブローバイガスを吸気通路における前記ターボチャージャのコンプレッサの上流に戻すとともに、その吸気通路に戻されるブローバイガスのガス流量を機関運転状態に基づき制御する内燃機関のブローバイガス処理装置において、
前記吸気通路に戻されるブローバイガスのガス流量を前記クランクケース内の圧力が大気圧となるよう制御する制御手段を備える
ことを特徴とする内燃機関のブローバイガス処理装置。
【請求項２】
請求項１記載の内燃機関のブローバイガス処理装置において、
前記燃焼室から前記クランクケースに漏れたブローバイガスを前記吸気通路における前記ターボチャージャのコンプレッサの上流に戻すガス流出通路と、前記ガス流出通路のガス流通面積を可変とすべく開閉動作するＰＣＶバルブとを備え、
前記制御手段は、機関運転状態に基づき前記ＰＣＶバルブの開度指令値を算出し、同バルブの開度を前記算出された開度指令値に基づき調整することで、前記ガス流出通路内のガス流量を前記クランクケース内の圧力が大気圧となるよう制御するものである
ことを特徴とする内燃機関のブローバイガス処理装置。
【請求項３】
前記制御手段は、前記コンプレッサの温度が同コンプレッサに付着したオイルを硬化させるコーキング温度以上であるときには前記吸気通路に戻されるブローバイガスのガス流量を前記クランクケース内の圧力が大気圧となるよう制御し、前記コンプレッサの温度が前記コーキング温度未満であるときには前記ガス流量を前記クランクケース内の圧力が大気圧に対し負圧となるよう制御する
請求項１記載の内燃機関のブローバイガス処理装置。
【請求項４】
請求項３記載の内燃機関のブローバイガス処理装置において、
前記燃焼室から前記クランクケースに漏れたブローバイガスを前記吸気通路における前記ターボチャージャのコンプレッサの上流に戻すガス流出通路と、前記ガス流出通路のガス流通面積を可変とすべく開閉動作するＰＣＶバルブとを備え、
前記制御手段は、機関運転状態に基づきマップを参照して前記ＰＣＶバルブの開度指令値を算出し、その開度指令値に基づき前記ＰＣＶバルブの開度を調整することで、前記ガス流出通路内のガス流量を制御するものであり、
前記ＰＣＶバルブの開度指令値を算出するためのマップとしては、前記コンプレッサの温度が前記コーキング温度以上のときに対応した高温マップと、前記コンプレッサの温度が前記コーキング温度未満のときに対応した低温マップとのうち、前記コンプレッサの現在の温度に対応した方のマップが選択されて用いられる
ことを特徴とする内燃機関のブローバイガス処理装置。
【請求項５】
前記制御手段は、前記クランクケース内の圧力が大気圧となるよう前記ガス流出通路でのガス流量を前記開度指令値に基づく前記ＰＣＶバルブの開度調整を通じて制御している状況のもとで、前記ガス流出通路での実際のガス流量を求めるとともに、前記クランクケース内の圧力を大気圧とするための前記ガス流出通路のガス流量である大気圧ガス流量を機関運転状態に基づき算出し、前記実際のガス流量が前記大気圧ガス流量よりも多いときには前記実際のガス流量が前記大気圧ガス流量となるまで前記開度指令値を閉じ側に変化させる
請求項２又は４記載の内燃機関のブローバイガス処理装置。
【発明の詳細な説明】
【技術分野】
【０００１】
本発明は、内燃機関のブローバイガス処理装置に関する。
【背景技術】
【０００２】
自動車等の車両に搭載される内燃機関としては、出力向上のためのターボチャージャを備えたものが知られている。また、内燃機関においては、運転中に燃焼室からシリンダ内壁とピストンリングとの間を介してクランクケースに燃料成分や排気成分を含んだガス（ブローバイガス）が漏れる。このため、ターボチャージャを備えた内燃機関において、燃焼室からクランクケースに漏れたブローバイガスを吸気通路に戻して処理するブローバイガス処理装置を設けることが提案されている。
【０００３】
こうしたブローバイガス処理装置は、クランクケース内と吸気通路における負圧の発生する部分とを繋ぐガス流出通路を備えており、同ガス流出通路を通じてクランクケース内のブローバイガスを吸気通路に戻すようにしている。なお、ターボチャージャを備えた内燃機関にあって、吸気通路における負圧の発生する部分としては、同吸気通路におけるターボチャージャよりも上流側の部分があげられる。上記ブローバイガス処理装置においては、ガス流出通路の上流側の圧力（クランクケース内の圧力）とガス流出通路の下流側の圧力（吸気通路内の圧力）との間に差圧が生じ、その差圧に対応した流量で吸気通路にブローバイガスが戻されるようになる。この場合、クランクケース内の圧力が大気圧に対し負圧となり、燃焼室からクランクケース内に漏れたブローバイガスが同ケースから外部（大気）に漏れることなく、ガス流出通路を介して吸気通路に戻される。
【０００４】
ここで、上記ガス流出通路を通過して吸気通路に戻されるブローバイガスのガス流量を制限しないと、そのガス流量はガス流出通路の上流側の圧力と下流側の圧力との差圧に対応した値、言い換えれば同差圧によって生じ得る最大値となる。この場合、クランクケース内の圧力を大気圧に対し確実に負圧となるようにしてクランクケース内のブローバイガスが外部に漏れないようにすることはできるものの、クランクケースからガス流出通路を介して吸気通路に戻されるブローバイガスのガス流量が多くなり過ぎる。このように吸気通路に戻されるブローバイガスのガス流量が多くなり過ぎると、そのガスによりクランクケース内のオイルが大量に吸気通路に持ち去られ、吸気通路におけるターボチャージャのコンプレッサ等に付着し、同コンプレッサ等でのデポジット堆積の原因となる。そして、ターボチャージャのコンプレッサにデポジットが堆積すると、内燃機関でのターボチャージャによる過給効率が低下して同機関の出力向上の妨げとなる。
【０００５】
そこで、特許文献１に示されるように、ガス流出通路のガス流通面積を可変とすべく開閉動作するＰＣＶバルブを設け、同ＰＣＶバルブの開度調節によりクランクケースから吸気通路に戻されるブローバイガスのガス流量を制限可能とすることが考えられる。ちなみに、上記特許文献１では、機関運転状態に応じて区画された複数の学習領域毎にクランクケース内を負圧とし得るＰＣＶバルブの開度を学習し、現在の機関運転状態に対応した学習領域で学習された開度となるようＰＣＶバルブの開度を調整するようにしている。この場合、ＰＣＶバルブの開度をクランクケース内を負圧とし得る範囲で閉じ側の値に調整し、クランクケースから吸気通路に戻されるブローバイガスのガス流量を少なく抑えることが可能になる。
【特許文献１】特開平９−６８０２８公報
【発明の開示】
【発明が解決しようとする課題】
【０００６】
上述したようにＰＣＶバルブの開度を閉じ側の値に調整することで、クランクケースから吸気通路に戻されるブローバイガスのガス流量を少なくし、同ガスによるクランクケース内のオイルの吸気通路への持ち去りを少なくすることができるようにはなる。しかし、そのオイルの持ち去りに起因して吸気通路におけるターボチャージャのコンプレッサ等でデポジットが堆積することは避けられず、同デポジットの堆積を抑制する面での更なる改善が望まれている。
【０００７】
本発明はこのような実情に鑑みてなされたものであって、その目的は、クランクケースから外部へのブローバイガスの漏れを抑制しつつ、クランクケースから吸気通路に持ち去られたオイルに起因するターボチャージャのコンプレッサでのデポジット堆積をより効果的に抑制することのできる内燃機関のブローバイガス処理装置を提供することにある。
【課題を解決するための手段】
【０００８】
以下、上記目的を達成するための手段及びその作用効果について記載する。
上記目的を達成するため、請求項１記載の発明では、ターボチャージャを備えた内燃機関に適用され、燃焼室からクランクケースに漏れたブローバイガスを吸気通路における前記ターボチャージャのコンプレッサの上流に戻すとともに、その吸気通路に戻されるブローバイガスのガス流量を機関運転状態に基づき制御する内燃機関のブローバイガス処理装置において、前記吸気通路に戻されるブローバイガスのガス流量を前記クランクケース内の圧力が大気圧となるよう制御する制御手段を備えた。
【０００９】
クランクケース内の圧力と吸気通路に戻されるブローバイガスのガス流量との間には、そのガス流量が多くなるほどクランクケース内の圧力が下がるという関係がある。上記構成によれば、クランクケース内の圧力が大気圧となるようクランクケースから吸気通路に戻されるブローバイガスのガス流量が可能な限り少なくされる。これにより、クランクケースから吸気通路へのオイルの持ち去りが可能な限り少なくされ、そのオイルに起因するターボチャージャのコンプレッサでのデポジットの堆積も可能な限り少なくされるようになる。また、このときにはクランクケース内の圧力は大気圧になるため、同ケース内のブローバイガスが外部（大気）に漏れることはない。従って、クランクケースから外部へのブローバイガスの漏れを抑制しつつ、クランクケースから吸気通路に持ち去られたオイルに起因するターボチャージャのコンプレッサでのデポジット堆積を効果的に抑制することができる。
【００１０】
請求項２記載の発明では、請求項１記載の発明において、前記燃焼室から前記クランクケースに漏れたブローバイガスを前記吸気通路における前記ターボチャージャのコンプレッサの上流に戻すガス流出通路と、前記ガス流出通路のガス流通面積を可変とすべく開閉動作するＰＣＶバルブとを備え、前記制御手段は、機関運転状態に基づき前記ＰＣＶバルブの開度指令値を算出し、同バルブの開度を前記算出された開度指令値に基づき調整することで、前記ガス流出通路内のガス流量を前記クランクケース内の圧力が大気圧となるよう制御するものとした。
【００１１】
上記構成によれば、クランクケースから吸気通路に戻されるブローバイガスのガス流量に関しては、機関運転状態に応じて算出される開度指令値に基づくＰＣＶバルブの開度調整により、クランクケース内の圧力を大気圧とする値に的確に制御される。
【００１２】
請求項３記載の発明では、請求項１記載の発明において、前記制御手段は、前記コンプレッサの温度が同コンプレッサに付着したオイルを硬化させるコーキング温度以上であるときには前記吸気通路に戻されるブローバイガスのガス流量を前記クランクケース内の圧力が大気圧となるよう制御し、前記コンプレッサの温度が前記コーキング温度未満であるときには前記ガス流量を前記クランクケース内の圧力が大気圧に対し負圧となるよう制御するものとした。
【００１３】
ターボチャージャのコンプレッサの温度がコーキング温度未満であるときには、同コンプレッサにクランクケースから持ち去られたオイルが付着したとしても、同オイルが硬化してデポジットの堆積に繋がる可能性は低い。上記構成によれば、このような状況のもとでは、クランクケース内の圧力が大気圧に対して負圧となるよう同ケースから吸気通路に戻されるブローバイガスのガス流量が多くされ、同ケースから外部（大気）へのブローバイガスの漏れが的確に抑制される。一方、ターボチャージャのコンプレッサの温度がコーキング温度以上になると、クランクケース内の圧力が大気圧となるよう同ケースから吸気通路に戻されるブローバイガスのガス流量が少なくされる。これにより、同ガスによるクランクケースから吸気通路へのオイルの持ち去りが可能な限り少なくされ、そのオイルに起因するターボチャージャのコンプレッサでのデポジットの堆積も可能な限り少なくされるようになる。以上により、クランクケースから外部へのブローバイガスの漏れをより一層的確に抑制しつつ、吸気通路に持ち去られたオイルに起因するターボチャージャのコンプレッサでのデポジット堆積を効果的に抑制することができる。
【００１４】
請求項４記載の発明では、請求項３記載の発明において、前記燃焼室から前記クランクケースに漏れたブローバイガスを前記吸気通路における前記ターボチャージャのコンプレッサの上流に戻すガス流出通路と、前記ガス流出通路のガス流通面積を可変とすべく開閉動作するＰＣＶバルブとを備え、前記制御手段は、機関運転状態に基づきマップを参照して前記ＰＣＶバルブの開度指令値を算出し、その開度指令値に基づき前記ＰＣＶバルブの開度を調整することで、前記ガス流出通路内のガス流量を制御するものであり、前記ＰＣＶバルブの開度指令値を算出するためのマップとしては、前記コンプレッサの温度が前記コーキング温度以上のときに対応した高温マップと、前記コンプレッサの温度が前記コーキング温度未満のときに対応した低温マップとのうち、前記コンプレッサの現在の温度に対応した方のマップが選択されて用いられることを要旨とした。
【００１５】
上記構成によれば、クランクケースから吸気通路に戻されるブローバイガスのガス流量は、機関運転状態に応じて算出される開度指令値に基づくＰＣＶバルブの開度調整を通じて制御される。そして、コンプレッサの温度がコーキング温度以上であるときには、機関運転状態に応じて高温マップを参照して開度指令値が算出され、その開度指令値に基づきＰＣＶバルブの開度を調整することで、ガス流出通路内のガス流量が的確にクランクケース内の圧力を大気圧とし得る値に制御される。また、コンプレッサの温度がコーキング温度未満であるときには、機関運転状態に応じて低温マップを参照して開度指令値が算出され、その開度指令値に基づきＰＣＶバルブの開度を調整することで、ガス流出通路内のガス流量が的確にクランクケース内の圧力を大気圧に対し負圧とし得る値に制御される。
【００１６】
請求項５記載の発明では、請求項２又は４記載の発明において、前記制御手段は、前記クランクケース内の圧力が大気圧となるよう前記ガス流出通路でのガス流量を前記開度指令値に基づく前記ＰＣＶバルブの開度調整を通じて制御している状況のもとで、前記ガス流出通路での実際のガス流量を求めるとともに、前記クランクケース内の圧力を大気圧とするための前記ガス流出通路のガス流量である大気圧ガス流量を機関運転状態に基づき算出し、前記実際のガス流量が前記大気圧ガス流量よりも多いときには前記実際のガス流量が前記大気圧ガス流量となるまで前記開度指令値を閉じ側に変化させるものとした。
【００１７】
ガス流出通路でのガス流量は、ＰＣＶバルブ及び内燃機関の個体差や経年劣化等によって変わってくる。従って、機関運転状態に応じて算出された開度指令値に基づくＰＣＶバルブの開度調整により、クランクケース内の圧力が大気圧となるようガス流出通路でのガス流量を制御したとき、そのガス流量がクランクケース内の圧力を大気圧とする値（大気圧ガス流量）よりも多くなる可能性がある。このような状況のもとでは、クランクケースから吸気通路へのオイルの持ち去りが多くなり、同通路におけるターボチャージャのコンプレッサでのデポジットの堆積が多くなるおそれがある。しかし、上記構成によれば、このような状況のもとでは、ガス流出通路での実際のガス流量が上記大気圧ガス流量となるまで上記開度指令値が閉じ側に変化され、それによってクランクケースから吸気通路へのオイルの持ち去りが抑えられるようになる。従って、開度指令値に基づくＰＣＶバルブの開度調整を通じてガス流出通路でのガス流量の制御が行われているとき、ＰＣＶバルブ及び内燃機関の個体差や経年劣化等が生じていたとしても、それに関係なくガス流出通路を流れるブローバイガスのガス流量を大気圧ガス流量とすることができる。その結果、上述したようにクランクケースから吸気通路へのオイルの持ち去りが多くなることを抑制でき、ひいては同通路におけるターボチャージャのコンプレッサでのデポジットの堆積が多くなることを抑制できるようになる。
【発明を実施するための最良の形態】
【００１８】
［第１実施形態］
以下、本発明を自動車用のターボチャージャ付きディーゼルエンジンに適用した第１実施形態を図１〜図６に従って説明する。
【００１９】
図１に示されるエンジン１においては、燃焼室２に吸気通路３及び排気通路４が接続されており、吸気通路３から燃焼室２に空気を供給するとともに同燃焼室２に燃料噴射弁５から燃料が噴射され、その燃料を燃焼室２内で燃焼させることによりピストン７が往復移動してクランクシャフト８が回転する。そして、燃焼室２内での燃焼後に生じる排気は同燃焼室２から排気通路４に送り出される。
【００２０】
また、エンジン１において、吸気通路３の途中であってエアクリーナ６の下流にはターボチャージャ１１のコンプレッサ１１ａが設けられており、排気通路４にはターボチャージャ１１のタービン１１ｂが設けられている。そして、排気通路４を流れる排気の力によりタービン１１ｂが回転すると、その回転がコンプレッサ１１ａに伝達されて同コンプレッサ１１ａも回転し、そのコンプレッサ１１ａの回転により吸気通路３内の空気が強制的に燃焼室２に送られるようになる。
【００２１】
更に、エンジン１においては、圧縮行程や膨張行程で燃焼室２に存在するガスの一部がブローバイガスとしてピストンリング７ａとシリンダ内壁９との間からクランクケース１０内に漏れる。このため、エンジン１には、燃焼室２から漏れたブローバイガスを吸気通路３に戻して処理するブローバイガス処理装置が設けられている。
【００２２】
同装置は、燃焼室２からクランクケース１０に漏れたブローバイガスを吸気通路３に戻すべく同通路３における負圧の発生する部分に接続されたガス流出通路１３を備えている。なお、吸気通路３における負圧の発生する部分としては、同通路３におけるターボチャージャ１１（コンプレッサ１１ａ）よりも上流側であって、且つエアクリーナ６よりも下流側の部分があげられ、その部分に上記ガス流出通路１３が接続されている。そして、クランクケース１０内の圧力が、吸気通路３におけるエアクリーナ６とコンプレッサ１１ａとの間の部分の圧力よりも高くなると、それら圧力の差（差圧）に基づきクランクケース１０内のブローバイガスがシリンダヘッド１２の内部を通過してガス流出通路１３に流れ、そのガス流出通路１３を介して吸気通路３に戻される。
【００２３】
また、ブローバイガス処理装置には、ガス流出通路１３から吸気通路３に上記ブローバイガスを戻す際のガス流量を調整するＰＣＶバルブ１４が設けられている。このＰＣＶバルブ１４は、ステップモータ等により開度調整される電動式のものであって、その開度を開き側（増大側）に調整するほどガス流出通路１３から吸気通路３に流れるガスの流量を多くするものである。なお、上記ＰＣＶバルブ１４の開度を増大させて吸気通路３に戻される上記ブローバイガスのガス流量を多くするほど、クランクケース１０内の圧力は低下することとなる。すなわち、吸気通路３に戻される上記ブローバイガスのガス流量とクランクケース１０内の圧力との間には、上記ガス流量を多くするほど同ケース１０内の圧力が下がるという関係が存在している。
【００２４】
次に、上記ブローバイガス処理装置の電気的構成について説明する。
ブローバイガス処理装置は、自動車に搭載されてエンジン１等に関する各種制御を実行する電子制御装置１９を備えている。この電子制御装置１９は、上記制御に係る各種演算処理を実行するＣＰＵ、その制御に必要なプログラムやデータの記憶されたＲＯＭ、ＣＰＵの演算結果等が一時記憶されるＲＡＭ、外部との間で信号を入・出力するための入・出力ポート等を備えて構成されている。
【００２５】
電子制御装置１９の入力ポートには、以下に示す各種センサ等が接続されている。
・自動車の運転者によって踏込操作されるアクセルペダル２０の踏み込み量（アクセル踏込量）を検出するアクセルポジションセンサ２１。
【００２６】
・吸気通路３におけるエアクリーナ６とターボチャージャ１１のコンプレッサ１１ａとの間の部分の圧力を検出するターボ前圧力センサ２２。
・クランクケース１０内の圧力を検出するケース内圧センサ２３。
【００２７】
・クランクシャフト８の回転に対応した信号を出力するクランクポジションセンサ２４。
・ターボチャージャ１１におけるコンプレッサ１１ａの温度を検出する温度センサ２５。
【００２８】
また、電子制御装置１９の出力ポートには、燃料噴射弁５及びＰＣＶバルブ１４といった各種機器の駆動回路が接続されている。
電子制御装置１９は、上記各センサから入力された検出信号より把握されるエンジン運転状態に応じて、上記出力ポートに接続された各機器類の駆動回路に指令信号を出力する。こうして燃料噴射弁５による燃料噴射の制御、及びＰＣＶバルブ１４の開度制御等の各種制御が電子制御装置１９により実施されている。
【００２９】
次に、クランクケース１０内から吸気通路３に戻されるブローバイガスのガス流量の制御を目的とした本実施形態のＰＣＶバルブ１４の開度制御の詳細について、ＰＣＶバルブ制御ルーチンを示す図２のフローチャートを参照して説明する。このＰＣＶバルブ制御ルーチンは、電子制御装置１９を通じて、例えば所定時間毎の時間割り込みにて周期的に実行される。
【００３０】
同ルーチンにおいては、ＰＣＶバルブ１４の開度指令値である指令ステップ数Ｒを算出するための処理（Ｓ１０１）が行われ、その後に上記算出された指令ステップ数Ｒに基づきＰＣＶバルブ１４の開度を調整する処理（Ｓ１０２）が行われる。このように開度制御されるＰＣＶバルブ１４に関しては、指令ステップ数Ｒが「０」のときに全閉とされ、同指令ステップ数Ｒが「０」から多くなるほど開き側の開度に調整される。そして、ＰＣＶバルブ１４の開度が開き側にされるほど、クランクケース１０からガス流出通路１３を介して吸気通路３に戻されるブローバイガスのガス流量が多くされ、クランクケース１０内の圧力が低下するようになる。
【００３１】
上記指令ステップ数Ｒを算出するための処理（ステップＳ１０１）では、エンジン回転速度及びエンジン負荷といったエンジン運転状態に基づき、予め設定された図３のマップを参照して指令ステップ数Ｒが算出される。なお、ここで用いられるエンジン回転速度は、クランクポジションセンサ２４からの検出信号に基づき求められる。また、上記エンジン負荷としては、アクセルポジションセンサ２１により検出されるアクセル踏込量を用いたり、そのアクセル踏込量及び前記エンジン回転速度に基づき算出される燃料噴射量指令値を用いたりすることが可能である。
【００３２】
上記のように算出される指令ステップ数Ｒは、それに基づきＰＣＶバルブ１４の開度を調整したとき、ガス流出通路１３を流れるブローバイガスのガス流量がクランクケース１０内を大気圧（例えば標準大気圧）とすることの可能な値とされる。すなわち、そのような値として同指令ステップ数Ｒが算出されるように上記マップが予め実験等により設定されている。従って、上記指令ステップ数Ｒに基づきＰＣＶバルブ１４の開度を調整することにより、クランクケース１０内の圧力を大気圧としつつ、同ケース１０内のブローバイガスを吸気通路３に戻すことが可能になる。
【００３３】
ここで、吸気通路３に戻されるブローバイガスのガス流量が少なすぎると、燃焼室２からクランクケース１０内へのブローバイガスの漏れに起因して同ケース内の圧力が大気圧よりも高くなり、同ケース１０内のブローバイガスが外部（大気）に漏れるおそれがある。一方、クランクケース１０から吸気通路３に戻されるブローバイガスのガス流量が多すぎると、そのブローバイガスによってクランクケース１０内のオイルが大量に吸気通路３に持ち去られることになる。そして、吸気通路３に持ち去られたオイルがターボチャージャ１１のコンプレッサ１１ａ等に付着し、同コンプレッサ１１ａ等でのデポジット堆積の原因となる。
【００３４】
しかし、上述したように吸気通路３に戻されるブローバイガスのガス流量をクランクケース１０内の圧力が大気圧となるように制御することで、同ケース１０から外部へのブローバイガスの漏れを抑制しつつ、上記ガス流量を可能な限り少なくされるようになる。このため、クランクケース１０から吸気通路３へのオイルの持ち去りが可能な限り少なくされ、そのオイルに起因するターボチャージャ１１のコンプレッサ１１ａでのデポジットの堆積も可能な限り少なくされる。以上により、クランクケース１０から外部へのブローバイガスの漏れを抑制しつつ、クランクケース１０から吸気通路３に持ち去られたオイルに起因するターボチャージャ１１のコンプレッサ１１ａでのデポジット堆積を効果的に抑制することができるようになる。
【００３５】
ところで、ガス流出通路１３を介して吸気通路３に戻されるブローバイガスのガス流量は、ＰＣＶバルブ１４及びエンジン１の個体差や経年劣化等によって変わってくる。従って、上記のように算出された指令ステップ数Ｒに基づくＰＣＶバルブ１４の開度調整により、クランクケース１０内の圧力が大気圧となるようガス流出通路１３でのブローバイガスのガス流量を制御したとき、そのガス流量がクランクケース１０内の圧力を大気圧とし得る値（以下、大気圧ガス流量という）よりも多くなる可能性がある。このような状況のもとでは、クランクケース１０から吸気通路３へのオイルの持ち去りが多くなり、同通路３におけるターボチャージャ１１のコンプレッサ１１ａでのデポジットの堆積が多くなるおそれがある。
【００３６】
図２のＰＣＶバルブ制御ルーチンにおけるステップＳ１０３〜Ｓ１０６の処理は、上述した不具合に対処するためのものである。
この一連の処理では、指令ステップ数Ｒに基づくＰＣＶバルブ１４の開度調整が行われているとき、言い換えればクランクケース１０内の圧力が大気圧となるようガス流出通路１３でのブローバイガスのガス流量を制御しているとき、同ガス流出通路１３での実際のガス流量が上記大気圧ガス流量よりも多いか否かが判断される（Ｓ１０３）。ここで、ガス流出通路１３での実際のガス流量に関しては、ケース内圧センサ２３によって検出されるクランクケース１０内の圧力とターボ前圧力センサ２２に基づき検出される吸気通路３内の圧力との差圧に基づき算出される。また、上記大気圧ガス流量に関しては、エンジン回転速度及びエンジン負荷に基づき、図４の二次元マップを参照して算出される。このマップは、クランクケース１０内の圧力（ケース内圧）を求めるための図５のマップ、及び吸気通路３におけるエアクリーナ６とコンプレッサ１１ａとの間の部分の圧力（ターボ前圧力）を求めるための図６のマップを利用して作成される。なお、図５のマップ及び図６のマップはそれぞれ、実験等によりエンジン回転速度とエンジン負荷との二次元マップとして設定されている。
【００３７】
ステップＳ１０３（図２）で肯定判定がなされ、ガス流出通路１３での実際のガス流量が上記大気圧ガス流量よりも多い旨判断されると、それらの差に対応した補正値Ｈが算出され（Ｓ１０４）、同算出された補正値Ｈの分だけ指令ステップ数Ｒが閉じ側の値に補正される（Ｓ１０５）。この補正値Ｈ分の指令ステップ数Ｒの補正により、ガス流出通路１３での実際のガス流量が上記大気圧ガス流量となるまで指令ステップ数Ｒが閉じ側に変化されるようになる。そして、上記補正後の指令ステップ数Ｒに基づきＰＣＶバルブ１４の開度調整を行うことにより（Ｓ１０６）、ＰＣＶバルブ１４及びエンジン１の個体差や経年劣化等が生じていたとしても、それに関係なくガス流出通路１３での実際のガス流量を上記大気圧ガス流量とすることができる。
【００３８】
以上詳述した本実施形態によれば、以下に示す効果が得られるようになる。
（１）クランクケース１０から吸気通路３に戻されるブローバイガスのガス流量に関しては、クランクケース１０内の圧力が大気圧となるように制御される。これにより、クランクケース１０から外部（大気）へのブローバイガスの漏れを抑制しつつ、上記ガス流量が可能な限り少なくされるようになる。このため、クランクケース１０から吸気通路３へのオイルの持ち去りが可能な限り少なくされ、そのオイルに起因するターボチャージャ１１のコンプレッサ１１ａでのデポジットの堆積も可能な限り少なくされる。従って、クランクケース１０から外部へのブローバイガスの漏れを抑制しつつ、クランクケース１０から吸気通路３に持ち去られたオイルに起因するターボチャージャ１１のコンプレッサ１１ａでのデポジット堆積を効果的に抑制することができる。
【００３９】
（２）クランクケース１０から吸気通路３に戻されるブローバイガスのガス流量に関しては、エンジン運転状態に応じて算出される指令ステップ数Ｒに基づくＰＣＶバルブ１４の開度調整を通じて制御される。上記のようにエンジン運転状態に応じて算出される指令ステップ数Ｒは、それに基づきＰＣＶバルブ１４の開度を調整したとき、ガス流出通路１３を流れるブローバイガスのガス流量がクランクケース１０内を大気圧とすることの可能な値とされる。従って、クランクケース１０内の圧力が大気圧となるよう上記ガス流量を的確に制御することができる。
【００４０】
（３）ガス流出通路１３を介して吸気通路３に戻されるブローバイガスのガス流量は、ＰＣＶバルブ１４及びエンジン１の個体差や経年劣化等によって変わってくる。こうした個体差や経年劣化等に起因して、指令ステップ数Ｒに基づくＰＣＶバルブ１４の開度調整を通じて上記ガス流量を制御したとき、そのガス流量がクランクケース１０内の圧力を大気圧とする値（大気圧ガス流量）よりも多くなる可能性がある。このような状況のもとでは、ガス流出通路１３での実際のガス流量が求められるとともに、クランクケース１０内の圧力を大気圧とするためのガス流出通路１３でのガス流量である大気圧ガス流量がエンジン運転状態に基づき算出され、上記実際のガス流量が上記大気圧ガス流量となるまで指令ステップ数Ｒが減少側（閉じ側）に変化される。これにより、指令ステップ数Ｒに基づくＰＣＶバルブ１４の開度調整を通じてガス流出通路１３でのガス流量の制御が行われているとき、ＰＣＶバルブ１４及びエンジン１の個体差や経年劣化等が生じていたとしても、それに関係なく上記ガス流量を大気圧ガス流量とすることができるようになる。従って、上記個体差や経年劣化等に起因して上記実際のガス流量が大気圧ガス流量よりも多くなることに伴い、クランクケース１０から吸気通路３へのオイルの持ち去りが多くなることを抑制でき、ひいては同通路３におけるターボチャージャ１１のコンプレッサ１１ａでのデポジットの堆積が多くなることを抑制できるようにもなる。
【００４１】
［第２実施形態］
次に、本発明の第２実施形態を図７及び図８に基づき説明する。
この実施形態は、ターボチャージャ１１におけるコンプレッサ１１ａの温度が、同コンプレッサ１１ａに付着したオイルを硬化させるコーキング温度以上であるか、あるいは同コーキング温度未満であるかに応じて、クランクケース１０から吸気通路３に戻されるブローバイガスのガス流量を可変とするようにしたものである。具体的には、コンプレッサ１１ａの温度が上記コーキング温度以上であるときには吸気通路３に戻されるブローバイガスのガス流量をクランクケース１０内の圧力が大気圧となるよう制御し、コンプレッサ１１ａの温度が上記コーキング温度未満であるときには上記ガス流量をクランクケース１０内の圧力が大気圧に対し負圧となるよう制御する。
【００４２】
ここで、上記コンプレッサ１１ａの温度がコーキング温度未満であるときには、同コンプレッサ１１ａにクランクケース１０から持ち去られたオイルが付着したとしても、同オイルが硬化してデポジットの堆積に繋がる可能性は低い。このような状況のもとでは、クランクケース１０内の圧力が大気圧に対して負圧となるよう同ケース１０から吸気通路３に戻されるブローバイガスのガス流量が多くされ、同ケース１０から外部（大気）へのブローバイガスの漏れが的確に抑制される。一方、コンプレッサ１１ａの温度がコーキング温度以上であるときには、クランクケース１０内の圧力が大気圧となるよう上記ガス流量が少なくされるため、同ガスによるクランクケース１０から吸気通路３へのオイルの持ち去りが可能な限り少なくされ、そのオイルに起因するコンプレッサ１１ａでのデポジットの堆積も可能な限り少なくされる。
【００４３】
以上により、クランクケース１０から外部へのブローバイガスの漏れをより一層的確に抑制しつつ、吸気通路３に持ち去られたオイルに起因するターボチャージャ１１のコンプレッサ１１ａでのデポジット堆積を効果的に抑制することができるようになる。
【００４４】
図７は、この実施形態におけるＰＣＶバルブ制御ルーチンを示すフローチャートである。同ルーチンにおいては、第１実施形態のＰＣＶバルブ制御ルーチン（図２）のステップＳ１０２〜Ｓ１０６に相当する処理（Ｓ２０６〜Ｓ２１０）に対しステップＳ２０１〜Ｓ２０３の処理が追加されており、上記ＰＣＶバルブ制御ルーチン（図２）のステップＳ１０１に相当する処理（Ｓ２０４、Ｓ２０５）が第１実施形態と異なっている。
【００４５】
この実施形態のＰＣＶ制御ルーチンにおいては、コンプレッサ１１ａの温度がコーキング温度以上であるか否かが判断される（Ｓ２０１）。ここで肯定判定であれば指令ステップ数Ｒを算出するためのマップとして図８に示される高温マップが選択され（Ｓ２０２）、同高温マップを参照してエンジン回転速度及びエンジン負荷に基づき指令ステップ数Ｒの算出が行われる（図７のＳ２０４）。上記高温マップ（図８）としては、第１実施形態における指令ステップ数Ｒの算出マップ（図３）と同じものが用いられる。
【００４６】
このため、高温マップを参照して算出された指令ステップ数Ｒに基づきＰＣＶバルブ１４の開度を調整し（図７のＳ２０６）、吸気通路３に戻されるブローバイガスのガス流量を調整することにより、クランクケース１０内の圧力が大気圧となるよう上記ガス流量が制御とされる。この場合、クランクケース１０内から外部へのブローバイガスの漏れを抑制しつつ、上記ガス流量を可能な限り少なくしてクランクケース１０から吸気通路３へのオイルの持ち去りを可能な限り少なくし、そのオイルに起因するコンプレッサ１１ａでのデポジットの堆積も可能な限り少なくすることができる。
【００４７】
その後、ＰＣＶバルブ１４及びエンジン１の個体差や経年劣化等により、上記ガス流量がクランクケース１０内の圧力を大気圧とし得る値（大気圧ガス流量）よりも多くなることを回避するための処理として、ステップＳ２０７〜Ｓ２１０の処理が実行される。
【００４８】
一方、ステップＳ２０１で否定判定がなされ、コンプレッサ１１ａの温度がコーキング温度未満である旨判断されると、指令ステップ数Ｒを算出するためのマップとして図８に示される低温マップが選択され（Ｓ２０３）、同低温マップを参照してエンジン回転速度及びエンジン負荷に基づき指令ステップ数Ｒの算出が行われる（Ｓ２０５）。同指令ステップ数Ｒは、それに基づきＰＣＶバルブ１４の開度を調整したとき、ガス流出通路１３を流れるブローバイガスのガス流量がクランクケース１０内を大気圧に対し負圧とすることの可能な値とされる。すなわち、そのような値として同指令ステップ数Ｒが算出されるように上記マップが予め実験等により設定されている。従って、上記指令ステップ数Ｒに基づきＰＣＶバルブ１４の開度を調整し（Ｓ２１０）、クランクケース１０内の圧力が大気圧に対し負圧となるよう上記ガス流量を大気圧ガス流量よりも多い値に制御することで、同ケース１０から外部（大気）へのブローバイガスの漏れが的確に抑制されるようになる。
【００４９】
本実施形態によれば、第１実施形態における（１）及び（３）の効果に加え、以下に示す効果が得られるようになる。
（４）ターボチャージャ１１におけるコンプレッサ１１ａの温度がコーキング温度以上であるときには吸気通路３に戻されるブローバイガスのガス流量がクランクケース１０内を大気圧とし得る値（大気圧ガス流量）となるよう制御される。このように上記ガス流量が少なくされるため、同ガスによるクランクケース１０から吸気通路３へのオイルの持ち去りが可能な限り少なくされ、そのオイルに起因するコンプレッサ１１ａでのデポジットの堆積も可能な限り少なくされる。一方、コンプレッサ１１ａの温度がコーキング温度未満であるときには上記ガス流量が大気圧ガス流量よりも多い値となるよう制御される。これにより、クランクケース１０内の圧力が大気圧に対し負圧となり、同ケース１０から外部（大気）へのブローバイガスの漏れが的確に抑制される。以上により、クランクケース１０から外部へのブローバイガスの漏れをより一層的確に抑制しつつ、吸気通路３に持ち去られたオイルに起因するターボチャージャ１１のコンプレッサ１１ａでのデポジット堆積を効果的に抑制することができる。
【００５０】
（５）コンプレッサ１１ａの温度がコーキング温度以上であるときには、指令ステップ数Ｒを算出するためのマップとして高温マップが選択され、同高温マップを参照してエンジン運転状態に基づき算出された指令ステップ数Ｒに基づきＰＣＶバルブ１４の開度が調整される。このようにＰＣＶバルブ１４の開度を調整することで、ガス流出通路１３内のガス流量がクランクケース１０内の圧力を大気圧とし得る値（大気圧ガス流量）に的確に制御される。また、コンプレッサ１１ａの温度がコーキング温度未満であるときには、指令ステップ数Ｒを算出するためのマップとして低温マップが選択され、同低温マップを参照してエンジン運転状態に基づき算出された指令ステップ数Ｒに基づきＰＣＶバルブ１４の開度が調整される。このようにＰＣＶバルブ１４の開度を調整することで、ガス流出通路１３内のガス流量がクランクケース１０内の圧力を大気圧に対し負圧とし得る値に的確に制御される。
【００５１】
［その他の実施形態］
なお、上記各実施形態は、例えば以下のように変更することもできる。
・第１及び第２実施形態の大気圧ガス流量に関しては、実験等により定められた計算式を用いてエンジン回転速度及びエンジン負荷に基づき算出することも可能である。
【００５２】
・第１及び第２実施形態の指令ステップ数Ｒに関しては、実験等により定められた計算式を用いてエンジン回転速度及びエンジン負荷に基づき算出することも可能である。
・第１及び第２実施形態において、大気圧を実測するとともに同実測した値の標準大気圧に対するずれ量を求め、そのずれ量に対応する分だけ指令ステップ数Ｒに対し補正を加えるようにしてもよい。この場合、指令ステップ数Ｒをそれに基づきＰＣＶバルブ１４の開度を調整したとき、クランクケース１０内の圧力が実際の大気圧となるよう、クランクケース１０から吸気通路３に戻されるブローバイガスのガス流量を制御することが可能になる。
【００５３】
・本発明をガソリンエンジンに適用してもよい。
【図面の簡単な説明】
【００５４】
【図１】第１実施形態のブローバイガス処理装置が適用されるエンジン全体を示す略図。
【図２】第１実施形態のＰＣＶバルブの開度制御の手順を示すフローチャート。
【図３】指令ステップ数Ｒの算出に用いられるマップ。
【図４】大気圧ガス流量の算出に用いられるマップ。
【図５】ケース内圧を求めるためのマップ。
【図６】ターボ前圧力を求めるためのマップ。
【図７】第２実施形態のＰＣＶバルブの開度制御の手順を示すフローチャート。
【図８】指令ステップ数Ｒの算出に用いられる高温マップ及び低温マップ。
【符号の説明】
【００５５】
１…エンジン、２…燃焼室、３…吸気通路、４…排気通路、５…燃料噴射弁、６…エアクリーナ、７…ピストン、７ａ…ピストンリング、８…クランクシャフト、９…シリンダ内壁、１０…クランクケース、１１…ターボチャージャ、１１ａ…コンプレッサ、１１ｂ…タービン、１２…シリンダヘッド、１３…ガス流出通路、１４…ＰＣＶバルブ、１９…電子制御装置（制御手段）、２０…アクセルペダル、２１…アクセルポジションセンサ、２２…ターボ前圧力センサ、２３…ケース内圧センサ、２４…クランクポジションセンサ、２５…温度センサ。
【図１】
2010096029.tif 000003
【図２】
2010096029.tif 000004
【図３】
2010096029.tif 000005
【図４】
2010096029.tif 000006
【図５】
2010096029.tif 000007
【図６】
2010096029.tif 000008
【図７】
2010096029.tif 000009
【図８】
2010096029.tif 000010